(57)【要約】【課題】カバー取付ねじのキャップが外れにくく、キャップ無しの機種展開にも対応可能とする。【解決手段】ねじ固定部８を介してカバー３を本体２に螺着するねじ４と、ねじ４の頭部１４を覆うキャップ５と、ねじ４の頭部１４の座面側に挿着可能な台座６とを備え、キャップ５は、ねじ４を、台座６を挿着して本体２に螺着した後、裏面に形成された円筒部１５の下端部に外周方向に突出して全周に形成された突条部１０を、台座６に形成された係止部１１に係着して、ねじ４の頭部１４を隠す構成とすることにより、キャップ５が取り付け易く、外れにくい信頼性が高い構造であるとともに、機種展開によってはキャップ５無しの構成も選択可能な優れたデザイン性を発揮することができる。【選択図】図１
2019042106.tif 000002
【特許請求の範囲】
【請求項１】
本体と、前記本体に取り付けられ、前記本体前面を構成するカバーと、前記カバーに形成される衣類投入口と、前記衣類投入口を開閉自在に覆う扉体と、を備え、
前記カバーに形成された凹部状の複数のねじ固定部と、前記カバーを前記ねじ固定部を介して前記本体に螺着するねじと、前記ねじの頭部を覆うキャップと、前記ねじの頭部の座面側に挿着可能な台座とを有し、前記キャップには、前記台座に係合する係合部を形成するドラム式洗濯機。
【請求項２】
台座には、周方向に複数個所に係止部を形成し、キャップには、全周に係止部に係合する係合部を形成する請求項１に記載のドラム式洗濯機。
【請求項３】
本体と、前記本体に取り付けられ、前記本体前面を構成するカバーと、前記カバーに形成される衣類投入口と、前記衣類投入口を開閉自在に覆う扉体と、を備え、
前記カバーに形成された凹部状の複数のねじ固定部と、前記カバーを前記ねじ固定部を介して前記本体に螺着するねじと、前記ねじの頭部を覆うキャップと、前記ねじの頭部の座面側に挿着可能な台座とを有し、前記キャップには、前記ねじの頭部外周に係合する係合部を形成するドラム式洗濯機。
【発明の詳細な説明】
【技術分野】
【０００１】
本発明は、本体に取り付けられたねじを隠すキャップを有したドラム式洗濯機に関するものである。
【背景技術】
【０００２】
従来、この種の洗濯機では、外観部剤であるカバーなどを固定するねじを隠す目的として、キャップを備える構成が提案されている（例えば、特許文献１参照）。
【０００３】
図６は特許文献１に記載された従来の洗濯機の要部断面図、図７は、同洗濯機の凹部部分の平面図、図８は、同洗濯機のキャップの斜視図である。
【０００４】
図６、図７、図８において、洗濯機本体（図示せず）の上部に配設されたトップカバー本体部４２の前部には、操作ユニット（図示せず）を収容する部品収容部４７が形成されている。部品収容部４７は、左右両側の後部に、上向きのボス部１８が突設されており、ボス部１８には、ねじ孔１８ａが形成されている。
【０００５】
コントロールパネル（カバー部材）４３は、部品収容部４７を上方から覆うようにトップカバー本体部４２の前部に取り付けられ、左右両側の後部に、ボス部１８に対応して円形の凹部１９が形成されている。
【０００６】
凹部１９の底部１９ｂの中央部には、ねじ挿通孔２０が形成されている。凹部１９の上面側の開口部１９ａの周りには、全周にわたって凹状の座面２１が形成されている。座面２１の前部には、他の部分よりも幅が広い幅広部２１ａが形成されている。
【０００７】
凹部１９の開口部１９ａの周縁部には、凹部１９の内方へ突出する３個の凸部２２、２３、２４が１２０度の等間隔で設けられている。凸部２２の下方となる凹部１９の底部１９ｂ及び周壁部１９ｃには、逃げ部を構成する孔部２５が形成されている。
【０００８】
ねじ２７を凹部１９のねじ挿通孔２０に上方から挿通し、ねじ２７をボス部１８のねじ孔１８ａに螺合することにより、コントロールパネル４３をトップカバー本体部４２に固定している。
【０００９】
凹部１９には、ねじ２７を隠すために、キャップ３０が取り付けられる。キャップ３０は、円板状の蓋部３１と、蓋部３１の裏面に設けられた薄肉の円筒状の挿入部３２とを一体に有した構成となっており、挿入部３２を凹部１９内に挿入し、蓋部３１の周縁部を座面２１に当接することにより、蓋部３１によって凹部１９の上面開口部１９ａを閉塞する状態で取り付けられている。
【先行技術文献】
【特許文献】
【００１０】
【特許文献１】特開平１１−３３３１９３号公報
【発明の概要】
【発明が解決しようとする課題】
【００１１】
しかしながら、前記従来の構成では、キャップを取り付ける凹部は、構造上、上部になるに従って径大となるテーパー状に構成される。キャップは、嵌合力だけで凹部に保持されるため、キャップが外れやすいという課題があった。
【００１２】
本発明は、上記従来の課題を解決するもので、キャップが外れにくい信頼性が高い構造とするドラム式洗濯機を提供することを目的とする。
【課題を解決するための手段】
【００１３】
前記従来の課題を解決するために、本発明のドラム式洗濯機は、本体と、前記本体に取り付けられ、前記本体前面を構成するカバーと、前記カバーに形成される衣類投入口と、前記衣類投入口を開閉自在に覆う扉体と、を備え、前記カバーに形成された凹部状の複数のねじ固定部と、前記カバーを前記ねじ固定部を介して前記本体に螺着するねじと、前記ねじの頭部を覆うキャップと、前記ねじの頭部の座面側に挿着可能な台座とを有し、前記キャップには、前記台座に係合する係合部を形成するものである。
【００１４】
また、本発明のドラム式洗濯機は、本体と、前記本体に取り付けられ、前記本体前面を構成するカバーと、前記カバーに形成される衣類投入口と、前記衣類投入口を開閉自在に覆う扉体と、を備え、前記カバーに形成された凹部状の複数のねじ固定部と、前記カバーを前記ねじ固定部を介して前記本体に螺着するねじと、前記ねじの頭部を覆うキャップと、前記ねじの頭部の座面側に挿着可能な台座とを有し、前記キャップには、前記ねじの頭部外周に係合する係合部を形成するものである。
【発明の効果】
【００１５】
本発明のドラム式洗濯機は、ねじ頭部を隠すキャップが取り付け易く、外れにくい構造にすることができる。
【図面の簡単な説明】
【００１６】
【図１】本発明のドラム式洗濯機の外観斜視図
【図２】同ドラム式洗濯機のねじ部分解斜視図
【図３】同ドラム式洗濯機のねじ締付け後のキャップ有り状態の断面図
【図４】同ドラム式洗濯機のキャップおよび台座の斜視図
【図５】同ドラム式洗濯機のねじ締付け後のキャップ無し状態の断面図
【図６】従来の洗濯機の要部断面図
【図７】同洗濯機の凹部部分の平面図
【図８】同洗濯機のキャップの斜視図
【発明を実施するための形態】
【００１７】
第１の発明は、本体と、前記本体に取り付けられ、前記本体前面を構成するカバーと、前記カバーに形成される衣類投入口と、前記衣類投入口を開閉自在に覆う扉体と、を備え、前記カバーに形成された凹部状の複数のねじ固定部と、前記カバーを前記ねじ固定部を介して前記本体に螺着するねじと、前記ねじの頭部を覆うキャップと、前記ねじの頭部の座面側に挿着可能な台座とを有し、前記キャップには、前記台座に係合する係合部を形成する構成とすることにより、キャップが取り付け易く、外れにくい信頼性が高い構造にすることができる。
【００１８】
第２の発明は、特に、第１の発明の台座には、周方向に複数個所に係止部を形成し、キャップには、全周に係止部に係合する係合部を形成することにより、キャップは台座に対して周方向に位置決めすることなく、３６０度どの位置でも着脱することができる。
【００１９】
第３の発明は、本体と、前記本体に取り付けられ、前記本体前面を構成するカバーと、前記カバーに形成される衣類投入口と、前記衣類投入口を開閉自在に覆う扉体と、を備え、前記カバーに形成された凹部状の複数のねじ固定部と、前記カバーを前記ねじ固定部を介して前記本体に螺着するねじと、前記ねじの頭部を覆うキャップと、前記ねじの頭部の
座面側に挿着可能な台座とを有し、前記キャップには、前記ねじの頭部外周に係合する係合部を形成する構成とすることにより、キャップが取り付け易く、外れにくい信頼性が高い構造にすることができる。
【００２０】
（実施の形態１）
本発明の第１の実施の形態におけるドラム式洗濯機について、図１〜４を用いて説明する。
【００２１】
図１は、本発明の実施の形態におけるドラム式洗濯機の扉開時の外観斜視図、図２は、同ドラム式洗濯機のねじ部分解斜視図、図３は、同ドラム式洗濯機のねじ締付け後のキャップ有り状態の断面図、図４は、同ドラム式洗濯機のキャップおよび台座の斜視図、図５は、同ドラム式洗濯機のねじ締付け後のキャップ無し状態の断面図（キャップ無し）である。
【００２２】
図１において、ドラム式洗濯機は、本体２内に水槽（図示せず）が揺動自在に弾性支持されており、水槽内に洗濯物を収容する有底円筒状のドラム１２が回転自在に設けられている。
【００２３】
本体２前面には、水槽やドラム１２を覆ってカバー３が取り付けられており、カバー３には、ドラム１２に洗濯物を投入する開口部である衣類投入口１３が形成されている。
【００２４】
カバー３には、衣類投入口１３を開閉自在に閉塞する扉体１が回動自在に支持されている。扉体１は、矩形状に形成されており、横幅寸法が本体２の横幅寸法と略同一寸法に形成され、扉体１を閉塞した状態で扉体１の上面が本体２の上面と略面一になるように形成されている。
【００２５】
カバー３は、凹状に形成される複数のねじ固定部８により本体２に固定される。ねじ固定部８の周縁部９は、入口側になるに従って径大となるテーパー状に形成され、凹凸のない形状に形成されている。
【００２６】
図２、図３、図４において、ねじ固定部８には、ねじ４が本体２のフレーム７に螺着される。ねじ４には、ねじ４の頭部１４座面側に台座６が挿着され、ねじ４をフレーム７が螺合することにより、ねじ４とフレーム７との間にカバー３と台座６が挟持固定される。
【００２７】
図４に示すように、台座６は、平板状に形成され、外周部分が全周に亘って立ち上がった断面略Ｕ字状に形成されており、立ち上がった外周部分は、ねじ４の頭部の外径より径大に形成されている。台座６の外周部分には、係止部１１が周方向に均等に間隔を有して４箇所形成されている。係止部１１は、内周方向に切り起こし形成されており、係止部１１の内周端間の間隔がねじ４の頭部の外形より大きい寸法に形成されている。
【００２８】
ねじ固定部８に固定されたねじ４は、キャップ５により覆い隠される。キャップ５は、合成樹脂により形成され、裏面の外周側に円筒部１５が形成されており、円筒部１５の下端部には、外周方向に突出する係合部である突条部１０が全周に形成されている。キャップ５は、突条部１０を台座６の係止部１１に係合することにより取り付けられ、キャップ５の装着によりねじ４の頭部がキャップ５により覆い隠される。キャップ５は、突条部１０を全周に形成しているので、キャップ５を台座６に係合する際に、周方向の位置決めを不要とすることができる。
【００２９】
図５は、機種展開などにより、キャップ５を取り付けない状態を示す断面図である。キャップ５を取り付けない場合には、台座６を不要とすることができる。キャップ５を台座
６に固定する構成としているので、ねじ固定部８の周縁部９は、凹凸のない形状に形成することができ、キャップ５を取り付けない状態であっても、デザイン性が損なわれるのを抑制することができる。
【００３０】
なお、上記の実施の形態においては、台座６にキャップ５を装着する構成としたが、キャップ５は、ねじ４の頭部１４に係合する構成としてもよい。
【００３１】
即ち、台座は、ねじの頭部の外径よりも小径に形成して、ねじの頭部の外周部と台座の外周との間に間隔を有する形状に形成し、キャップには、外周部に、ねじの頭部の外周部に係合する係合部である突条部を形成する構成としてもよい。
【００３２】
以上のように、本実施の形態においては、ねじ固定部８を介してカバー３を本体２に螺着するねじ４と、ねじ４の頭部１４を覆うキャップ５と、頭部１４の座面側に挿着可能な台座６とを備え、キャップ５は、ねじ４を、台座６を挿着して本体２に螺着した後、裏面に形成された円筒部１５の下端部に外周方向に突出して全周に形成した突条部１０を、台座６に形成された係止部１１に係着して、ねじ４の頭部１４を隠す構成としている。これにより、キャップ５が取り付け易く、外れにくい信頼性が高い構造であるとともに、機種展開によってキャップ５無しの構成も選択可能な優れたデザイン性を発揮することができる。
【産業上の利用可能性】
【００３３】
以上のように、本発明にかかるドラム式洗濯機は、ねじ頭部を隠すキャップが取り付け易く、外れにくい構造であるとともに、機種展開によってはキャップ無しの構成も選択することが可能となるので、他の洗濯機等の家庭用機器の用途に適用できる。
【符号の説明】
【００３４】
１  扉体
２  本体
３  カバー
４  ねじ
５  キャップ
６  台座
７  フレーム
８  ねじ固定部
１０  突条部
１１  係止部
１２  ドラム
１３  衣類投入口
１４  頭部
１５  円筒部
【図１】
2019042106.tif 000003
【図２】
2019042106.tif 000004
【図３】
2019042106.tif 000005
【図４】
2019042106.tif 000006
【図５】
2019042106.tif 000007
【図６】
2019042106.tif 000008
【図７】
2019042106.tif 000009
【図８】
2019042106.tif 000010